(57)【要約】【課題】最初に接近したサービスポイントでもフィールド加入手順を別途に行う必要がないモバイルデバイスの加入処理方法及びそのサービスコンテンツ提供システムを提供する。【解決手段】サービスコンテンツ提供サーバーはモバイルデバイスから伝送された固有番号を使って先加入手順を行う。前記モバイルデバイスが前記サービスコンテンツ提供サーバーと連結されたサービスポイントに最初にアクセスする時、コネクションコンテクストが伝送され、前記モバイルデバイスはサービスコンテンツを直ちに受信できる状態になる。したがって、モバイルデバイスを通じてサービスコンテンツを利用する時、最初接近したサービスポイントにも別途の加入手順が必要でなく、使用便宜性が増大する。また、サービスコンテンツを受信するために別途のケーブルや入力、ディスプレーのための追加装置を用意する必要がなく、その面倒さが解消される。【選択図】図１
2011217376.tif 000002
【特許請求の範囲】
【請求項１】
サービスコンテンツ提供サーバーと連結されたサービスポイントにモバイルデバイスを最初にアクセスする段階と、
前記サービスポイントを通じて、前記サービスコンテンツ提供サーバーのサービスコンテンツを前記モバイルデバイスに提供するため、前記サービスポイントから伝送されたコネクションコンテクストを前記モバイルデバイスで受信する段階と、を有し、
前記コネクションコンテクストは、前記モバイルデバイスが前記サービスコンテンツ提供サーバーのサービスコンテンツを受信することが許されることを示す決定に応答し、前記モバイルデバイスに伝送されることを特徴とするモバイルデバイスの加入処理方法。
【請求項２】
前記モバイルデバイスは、近距離無線通信リンクを通じて前記サービスポイントをアクセスすることを特徴とする  請求項１に記載のモバイルデバイスの加入処理方法。
【請求項３】
サービスポイントをアクセスする前に、
前記モバイルデバイスで前記サービスコンテンツ提供サーバーに前記モバイルデバイスの固有番号を伝送し、
前記固有番号の受信に応答して前記サービスコンテンツ提供サーバーで前記モバイルデバイスに対する先加入手順を行うことを特徴とする請求項１に記載のモバイルデバイスの加入処理方法
【請求項４】
前記固有番号は前記モバイルデバイスの製品一連番号を含むことを特徴とする請求項３に記載のモバイルデバイスの加入処理方法。
【請求項５】
前記固有番号は前記モバイルデバイスのユーザのＰＩＮを含むことを特徴とする請求項３に記載のモバイルデバイスの加入処理方法。
【請求項６】
前記固有番号は前記モバイルデバイスの製造会社番号を含むことを特徴とする請求項３に記載のモバイルデバイスの加入処理方法。
【請求項７】
前記固有番号は前記モバイルデバイスのユーザのＩ−ＰＩＮを含むことを特徴とする請求項３に記載のモバイルデバイスの加入処理方法。
【請求項８】
前記固有番号は、前記モバイルデバイスのユーザのＧ−ＰＩＮを含むことを特徴とする請求項３に記載のモバイルデバイスの加入処理方法。
【請求項９】
前記先加入手順は、前記固有番号に対応されるコネクションコンテクストを生成し、登録する過程を含むことを特徴とする請求項３に記載のモバイルデバイスの加入処理方法。
【請求項１０】
前記モバイルデバイスは、前記固有番号と前記固有番号の対応コネクションコンテストが前記サービスコンテンツ提供サーバー内に登録されていることによって、
前記サービスコンテンツ提供サーバーのサービスコンテンツの受信が許されることが決定されることを特徴とする請求項９に記載のモバイルデバイスの加入処理方法
【請求項１１】
前記コネクションコンテクストは、コネクションデバイスＩＤ、コネクションホストＩＤ、及びコネクションキーを含むのを特徴とする請求項１に記載のモバイルデバイスの加入処理方法
【請求項１２】
通信ネットワークを通じて連結されたサービスポイントと、
前記モバイルデバイスが前記通信ネットワークを通じてホストサーバーに連結する時、前記モバイルデバイスの固有番号が受信されれば、前記モバイルデバイスが前記ホストサーバーからサービスコンテンツを受信することを許すため、前記モバイルデバイスの固有番号が登録される先加入手順を前記モバイルデバイスに行い、
前記モバイルデバイスが望みのサービスコンテンツを受けるために前記サービスポイント内の１つを最初にアクセスする時、前記前記モバイルデバイスの固有番号が前記ホストサーバーとして登録されると、前記サービスポイントが前記モバイルデバイスに前記望みのサービスコンテンツを提供させるために前記コネクションコンテクストを前記モバイルデバイスに伝送するホストサーバーを具備することを特徴とするサービスコンテンツ提供システム。
【請求項１３】
前記モバイルデバイスと前記モバイルデバイスによって、アクセスされたサービスポイントは、ＷＰＡＮを通じて通信することを特徴とする請求項１２に記載のサービスコンテンツ提供システム。
【請求項１４】
前記モバイルデバイスの前記固有番号は、前記通信ネットワークに連結された入力ターミナルから提供され、前記モバイルデバイスは前記入力ターミナルに連結されることを特徴とする請求項１２に記載のサービスコンテンツ提供システム。
【請求項１５】
前記入力ターミナルは前記通信ネットワークに無線に連結されることを特徴とする請求項１４に記載のサービスコンテンツ提供システム。
【請求項１６】
前記サービスポイントの内少なくとも１つは、無線インターネットアクセスポイントとして機能するキオスクを含むことを特徴とする請求項１２に記載のサービスコンテンツ提供システム。
【請求項１７】
前記モバイルデバイスは無線ユニバーサルシリアルバス（ＷＵＳＢ）を具備する素子であり、前記サービスポイントの内に少なくとも１つはＷＵＳＢを具備するホストであることを特徴にする請求項１２に記載のサービスコンテンツ提供システム。
【請求項１８】
前記モバイルデバイスが前記サービスコンテンツ提供サーバーにオンラインである時、前記モバイルデバイスの固有番号を前記サービスコンテンツ提供サーバーで受信する段階と、
前記モバイルデバイスの固有番号が対応コネクションコンテクストとともに、登録される先加入手順を前記サービスコンテンツ提供サーバーで行う段階と、
前記サービスコンテンツ提供サーバーで前記モバイルデバイスに、前記モバイルデバイスが前記サービスコンテンツ提供サーバーに連結されたサービスポイントに無線サービスコンテンツリクエストを最初送信する場合に、前記モバイルデバイスがサービスコンテンツ提供サーバーのサービスコンテンツを即刻的にアクセスさせるため、前記モバイルデバイスの固有番号に対応するコネクションコンテクストを提供する段階を有することを特徴とするモバイルデバイスの加入処理方法。
【請求項１９】
前記サービスコンテンツ提供サーバーは、前記先加入手順を行うためのウェブサイトを有することを特徴とする請求項１８に記載のモバイルデバイスの加入処理方法。
【請求項２０】
前記コネクションコンテクストはモバイルデバイスが前記サービスコンテンツ提供サーバーとオンラインである時、前記モバイルデバイスから提供されることを特徴とする請求項１８に記載のモバイルデバイスの加入処理方法。
【請求項２１】
加入処理方法において、
モバイルデバイスから無線に送信され、前記サービスポイントに前記モバイルデバイスの最初接触であることを示すサービスコンテンツリクエストをサービスポイントで受信し、
前記サービスポイントを通じて前記モバイルデバイスに前記要請されたサービスコンテンツを即刻的に無線に提供するためにコネクション情報を前記サービスポイントで前記モバイルデバイスに送信し、
ここで前記コネクション情報は、前記モバイルデバイスが前記要請されたサービスコンテンツを受信することが許される決定に応答して、前記モバイルデバイスに伝送されることを特徴とするモバイルデバイスの加入処理方法。
【請求項２２】
前記決定は、前記モバイルデバイスの固有番号が前記サービスポイントでのテーブル内に保存されることを確認するのによって作られ、前記テーブルは前記モバイルデバイスと前記ホストサーバーとの間の先加入手順内で生成され、前記先加入手順で前記ホストサーバーが前記コネクション情報に対して前記固有番号を割当することを特徴とする請求項２１に記載のモバイルデバイスの加入処理方法。
【発明の詳細な説明】
【技術分野】
【０００１】
本発明はモバイルデバイスに関する無線通信に関し、より詳細には、フィールド加入手順を含まないモバイルデバイスの加入処理方法及びそのサービスコンテンツ提供システムに関する。
【背景技術】
【０００２】
モバイルデバイスは、例えば、ハンドヘルドフォーン、モバイルインターネットデバイス（ＭＩＤ）、ＰＤＡ、スマートフォーン、ネットブック、ポータブルマルチメディアプレーヤー、またはＭＰ３プレーヤーなどのデバイスには無線インターネット機能が搭載できる。このようなモバイルデバイスは移動通信網を利用せず、無線インターネットアクセスポイントとも称されるサービスポイントを通じて、サービスコンテンツ提供システムと無線インターネット通信を行うことができる。
【０００３】
ＷＰＡＮ（Ｗｉｒｅｌｅｓｓ  Ｐｅｒｓｏｎａｌ  Ａｒｅａ  Ｎｅｔｗｏｒｋ）等のような近距離無線通信はサービスポイントに位置したキオスク（Ｋｉｏｓｋ）とモバイルデバイスとの間の通信に利用できる。
【０００４】
モバイルデバイスのユーザが複数のサービスポイントの中に任意のサービスポイントに最初にアクセスして望みのサービスを利用しようとする場合に、コネクションコンテクスト（Ｃｏｎｎｅｃｔｉｏｎ  Ｃｏｎｔｅｘｔ）を交換するフィールド（ｆｉｅｌｄ）加入（ａｓｓｏｃｉａｔｉｏｎ）手順が要求される。結局、ＷＰＡＮ連結をなすため、前記ユーザは設定されたパスワードを、モバイルデバイスを通じて入力しなければならない。このようにサービスコンテンツを受信するために設定されたパスワードを入力することは使用上の不便性を招くのでそれほど歓迎されない可能性もある。
【０００５】
さらに、キーボードやタッチパッドのような入力装置及びディスプレー装置を備えないモバイルデバイスの場合には、フィールド加入手順のためにユーザはＵＳＢケーブルを携帯するか、またはモバイルデバイスに入力装置及びディスプレー装置を追加装着しなければならない面倒さを有する。
【０００６】
したがって、ユーザの便宜性を最適に提供できる改善されたテクニックが本分野で要望される。
【先行技術文献】
【特許文献】
【０００７】
【特許文献１】日本特許公開２００８−５４７２５０号公報
【発明の概要】
【発明が解決しようとする課題】
【０００８】
本発明が解決しようとする技術的課題は、フィールド加入手順が省略できるモバイルデバイスの加入処理方法及びそのサービスコンテンツ提供システムを提供することにある。
【０００９】
本発明が解決しようとする他の技術的課題は、最初接近したサービスポイントでもフィールド加入手順を別途に行う必要がないモバイルデバイスの加入処理方法を提供することにある。
【００１０】
本発明が解決しようとする他の１つの技術的課題は、オンラインを通じ、先加入手順を行うことができるモバイルデバイスの加入処理方法及びそのサービスコンテンツ提供システムを提供することにある。
【００１１】
本発明が解決しようとするまた他の１つの技術的課題は、最初にアクセスするサービスポイントで設定されたパスワードを入力することがなくてもサービスコンテンツを受信できるモバイルデバイスの加入処理方法及びそのサービスコンテンツ提供システムを提供することにある。
【００１２】
本発明が解決しようとするまた他の１つの技術的課題は、近距離無線通信ユーザの利用不便性やケーブル携帯や装置追加よる面倒さを解消できるモバイルデバイスの加入処理方法及びそのサービスコンテンツ提供システムを提供することにある。
【００１３】
本発明が解決しようとするもう１つの技術的課題は、ＷＵＳＢデバイスと無線ＵＳＢホスト間の新規で、改善された加入処理方法を提供することにある。
【課題を解決するための手段】
【００１４】
上記目的を達成するためになされた本発明によるモバイルデバイスの加入処理方法は、
サービスコンテンツ提供サーバーと連結されたサービスポイントにモバイルデバイスを最初にアクセスする段階と、前記サービスポイントを通じて、前記サービスコンテンツ提供サーバーのサービスコンテンツを前記モバイルデバイスに提供するため、前記サービスポイントから伝送されたコネクションコンテクストを前記モバイルデバイスで受信する段階とを有し、前記コネクションコンテクストは、前記モバイルデバイスが前記サービスコンテンツ提供サーバーのサービスコンテンツを受信することが許されることを示す決定に応答し、前記モバイルデバイスに伝送されることを特徴とする。
【００１５】
前記モバイルデバイスは、近距離無線通信リンクを通じて前記サービスポイントをアクセスできることが好ましい。
【００１６】
サービスポイントをアクセスする前に、前記モバイルデバイスで前記サービスコンテンツ提供サーバーに前記モバイルデバイスの固有番号を伝送し、前記固有番号の受信に応答して前記サービスコンテンツ提供サーバーで前記モバイルデバイスに対する先加入手順を行えることが好ましい。
【００１７】
前記固有番号は前記モバイルデバイスの製品の一連番号を含み得ることが好ましい。
【００１８】
前記固有番号は前記モバイルデバイスのユーザのＰＩＮを含み得ることが好ましい。
【００１９】
前記固有番号は前記モバイルデバイスの製造会社番号を含み得ることが好ましい。
【００２０】
前記固有番号は前記モバイルデバイスのユーザのＩ−ＰＩＮを含み得ることが好ましい。
【００２１】
前記固有番号は、前記モバイルデバイスのユーザのＧ−ＰＩＮを含み得ることが好ましい。
【００２２】
前記先加入手順は、前記固有番号に対応されるコネクションコンテクストを生成し、登録する過程を含み得ることが好ましい。
【００２３】
前記モバイルデバイスは、前記固有番号と前記固有番号の対応コネクションコンテストが前記サービスコンテンツ提供サーバー内に登録されていることによって、前記サービスコンテンツ提供サーバーのサービスコンテンツの受信が許されることが決定され得ることが好ましい。
【００２４】
前記コネクションコンテクストは、コネクションデバイスＩＤ、コネクションホストＩＤ、及びコネクションキーを含み得ることが好ましい。
【００２５】
上記目的を達成するためになされた本発明によるサービスコンテンツ提供システムは、通信ネットワークを通じて連結されたサービスポイントと、前記モバイルデバイスが前記通信ネットワークを通じてホストサーバーに連結する時、前記モバイルデバイスの固有番号が受信されれば、前記モバイルデバイスが前記ホストサーバーからサービスコンテンツを受信することを許すため、前記モバイルデバイスの固有番号が登録される先加入手順を前記モバイルデバイスに行い、前記モバイルデバイスが望みのサービスコンテンツを受けるために前記サービスポイント内の１つを最初にアクセスする時、前記前記モバイルデバイスの固有番号が前記ホストサーバーとして登録されると、前記サービスポイントが前記モバイルデバイスに前記望みのサービスコンテンツを提供させるために前記コネクションコンテクストを前記モバイルデバイスに伝送するホストサーバーを具備することを特徴とする。
【００２６】
前記モバイルデバイスと前記モバイルデバイスによってアクセスされたサービスポイントは、ＷＰＡＮを通じて通信できることが好ましい。
【００２７】
前記モバイルデバイスの前記固有番号は、前記通信ネットワークに連結された入力ターミナルから提供され、前記モバイルデバイスは前記入力ターミナルに連結されることであり得ることが好ましい。
【００２８】
前記入力ターミナルは前記通信ネットワークに無線に連結されることで得ることが好ましい。
【００２９】
サービスポイントの内少なくとも１つは、無線インターネットアクセスポイントとして機能するキオスクを含み得ることが好ましい。
【００３０】
前記モバイルデバイスは無線ユニバーサルシリアルバス（ＷＵＳＢ）を具備する素子であり、前記サービスポイントの内少なくとも１つはＷＵＳＢを具備するホストであり得ることが好ましい。
【００３１】
上記目的を達成するためになされた本発明によるモバイルデバイスの加入処理方法は、前記モバイルデバイスが前記サービスコンテンツ提供サーバーにオンラインである時、前記モバイルデバイスの固有番号を前記サービスコンテンツ提供サーバーで受信する段階と、前記モバイルデバイスの固有番号が対応コネクションコンテクストとともに、登録される先加入手順を前記サービスコンテンツ提供サーバーで行う段階と、前記サービスコンテンツ提供サーバーで前記モバイルデバイスに、前記モバイルデバイスが前記サービスコンテンツ提供サーバーに連結されたサービスポイントに無線サービスコンテンツリクエストを最初送信する場合に、前記モバイルデバイスがサービスコンテンツ提供サーバーのサービスコンテンツを即刻的にアクセスさせるため、前記モバイルデバイスの固有番号に対応するコネクションコンテクストを提供する段階を有することを特徴とする。
【００３２】
前記サービスコンテンツ提供サーバーは、前記先加入手順を行うためのウェブサイトを有することができることが好ましい。
【００３３】
前記コネクションコンテクストはモバイルデバイスが前記サービスコンテンツ提供サーバーとオンラインである時、前記モバイルデバイスから提供され得ることが好ましい。
【００３４】
上記目的を達成するためになされた本発明による加入処理方法は、モバイルデバイスから無線に送信され、前記サービスポイントに前記モバイルデバイスの最初接触であることを示すサービスコンテンツリクエストをサービスポイントで受信し、前記サービスポイントを通じて前記モバイルデバイスに前記要請されたサービスコンテンツを即刻的に無線に提供するためにコネクション情報を前記サービスポイントで前記モバイルデバイスに送信し、ここで前記コネクション情報は、前記モバイルデバイスが前記要請されたサービスコンテンツを受信することが許される決定に応答して前記モバイルデバイスに伝送されることを特徴とする。
【００３５】
前記決定は、前記モバイルデバイスの固有番号が前記サービスポイントでのテーブル内に保存されることを確認するのによって作られ、前記テーブルは前記モバイルデバイスと前記ホストサーバーとの間の先加入手順内で生成され、前記先加入手順で前記ホストサーバーが前記コネクション情報に対して前記固有番号を割当できることが好ましい。
【発明の効果】
【００３６】
したがって、オンラインを利用して先加入を行う本発明の実施形態によれば、最初接近したサービスポイントでもフィールド加入手順を別途に行う必要がないので、利用便宜性が向上する。また、サービスコンテンツを受信するために別途のケーブルや入力、ディスプレーのための追加装置を用意する必要がなく、その面倒さが解消される。
【図面の簡単な説明】
【００３７】
【図１】本発明の実施形態によるサービスコンテンツ提供システムの全体ブロック図。
【図２】図１のホストサーバー、またはサービスポイントの装置ブロック例示図。
【図３】図１によるモバイルデバイス加入処理の制御フローチャート。
【図４】図１によるモバイルデバイス加入処理の制御フローチャート。
【図５】図１によるモバイルデバイス加入処理のためのメモリーテーブル構成の例示図。
【図６】本発明の他の実施形態によるサービスコンテンツ提供システムの全体ブロック図。
【図７】図１、または図６によるモバイルデバイスの固有番号伝送フォーマットを示す図面。
【発明を実施するための形態】
【００３８】
次に、本発明に係るモバイルデバイスデバイスの加入処理方法及びそのサービスコンテンツ提供システムを実施するための形態の具体例を、図面を参照しながら説明する。
しかし、本発明はここで説明される実施形態に限定されず、他の形態に具体化できる。むしろ、ここで紹介される実施形態は、理解の便宜を提供する意図以外にほかの意図がなく、開示された内容がより徹底して完全になり得るように、そして当業者に本発明の思想が十分に伝えられることができるようにするために提供される。
【００３９】
本明細書で、ある素子、またはラインらが対象素子ブロックに連結されると言及された場合に、それは直接的な連結だけでなく、ある他の素子を通じて対象素子ブロックに間接的に連結される意味までも含む。
【００４０】
また、各図面で提示された同一、または類似の参照符号は同一、または類似の構成要素をできるだけ示している。一部図面において、素子及びラインの連結関係は技術的内容の効果的な説明だけのためで、他の素子や回路ブロックがさらに備わることができる。
【００４１】
付加的に、図面内で、サービスコンテンツ提供システムのサービスフローやモバイルデバイスの一般的な回路構成及びその加入動作は省略できる。
【００４２】
まず、図１は本発明の実施形態によるサービスコンテンツ提供システムのブロック図である。
【００４３】
図面を参照すれば、サービスコンテンツ提供システムは、通信ネットワーク１５０を通じて連結されたサービスポイント３００（３０１乃至３０７を含む）と、ホストサーバー２００とを具備する。
【００４４】
モバイルデバイス１０は前記ホストサーバー２００のサービスコンテンツ（ｃｏｎｔｅｎｔ）を前記サービスポイント３００の内少なくとも１つのサービスポイント（例えば３０３）を通じて受信する。前記サービスポイント３００（３０１乃至３０７）は公共機関、停留場、ショッピングモール、商店などのような群集場所に設置される無線インターネットアクセス装置、例えば、キオスクになることができ、無線ＵＳＢ（Ｕｎｉｖｅｒｓａｌ  Ｓｅｒｉａｌ  Ｂｕｓ）ホスト端末装置としての機能を有することができる。
【００４５】
前記モバイルデバイス１０の固有番号（ｓｅｒｉａｌ  ｎｕｍｂｅｒ）１２が前記通信ネットワーク１５０に連結した入力ターミナル１００を通じて入力されれば、ラインＬ１０、通信ネットワーク１５０、及びラインＬ２０を順次に経てホストサーバー２００に固有番号１２が印加される。この場合に前記固有番号１２は先加入要求メッセージに含まれて印加できる。
【００４６】
前記ホストサーバー２００は、前記モバイルデバイス１０が前記ホストサーバー２００とオンラインである時、前記固有番号が受信されれば、前記モバイルデバイス１０に対する先加入（ｐｒｅａｓｓｏｃｉａｔｉｏｎ）手順を行う。以後、前記ホストサーバー２００は前記モバイルデバイス１０が前記サービスポイントの内に何れか１つ（例えば、３０３）に最初にアクセスの際に前記先加入手順が登録されたことに認証されると、前記サービスコンテンツの提供がすぐに対応可能にするために、コネクションコンテクストを前記モバイルデバイス１０に伝送する。
【００４７】
前記サービスポイント３０３と前記モバイルデバイス１０との間にはＷＰＡＮ方式の無線通信がなされ得る。そういう無線通信は無線ラン（Ｗｉｒｅｌｅｓｓ  ＬＡＮ）、ブルートゥース（Ｂｌｕｅｔｏｏｔｈ）、ジグビー（Ｚｉｇｂｅｅ）、またはＵＷＢ（Ｕｌｔｒａ  Ｗｉｄｅ  Ｂａｎｄ）のような通信方式であり得る。
【００４８】
前記コネクションコンテクストはＷｉｒｅｌｅｓｓ  ＵＳＢ  Ｓｐｅｃｉｆｉｃａｔｉｏｎ標準１．０で定義される識別字（ｕｎｉｑｕｅ  ＩＤ）の場合に、コネクションデバイスＩＤ（ＣＤＩＤ）、コネクションホストＩＤ（ＣＨＩＤ）、及びコネクションキー（ＣＫ）とを含むことができる。前記コネクションコンテクストはフレームワーク（ｆｒａｍｅｗｏｒｋ）を通じて前記モバイルデバイス１０に伝送され得る。
【００４９】
前記ＣＤＩＤはモバイルデバイス１０が前記サービスポイント３００と新しい接続を試みる場合に生成される。まず臨時的な（ｔｅｍｐｏｒａｒｙ）ＣＤＩＤが生成されれば、サービスポイント３００から新しいＣＤＩＤを受信する時や現在の接続試図が失敗された時まで現在のＣＤＩＤがそのまま維持される。臨時的なＣＤＩＤはランダム（ｒａｎｄｏｍ）な数（ｎｕｍｂｅｒ）であるので、無線ＵＳＢホスト装置であるサービスポイント３００が同一であるＣＤＩＤを通じてモバイルデバイス１０と接続される場合はほとんどない。
【００５０】
前記ＣＨＩＤはユニークホストＩＤ（Ｕｎｉｑｕｅ  Ｈｏｓｔ  ＩＤ）として前記サービスポイントから提供されている。前記ＣＨＩＤは加入要求メッセージに応答された受諾メッセージの伝送する時に、前記モバイルデバイス１０で印加され、前記モバイルデバイス１０は前記ＣＨＩＤを通じて接続されるサービスポイント３００を識別できる。
【００５１】
前記ＣＫはサービスの接続時に使われるキー（Ｋｅｙ）であり、前記サービスポイント３０３、または前記ホストサーバー２００によって計算されて得られる。同じように、前記ＣＫは常にユニークな値になる。
【００５２】
前記ホストサーバー２００、または前記サービスポイント３０３はアウトオブバンドチャンネル（ＯＯＢ；ｏｕｔ−ｏｆ−ｂａｎｄ  ｃｈａｎｎｅｌｓ）またはｓｅｃｕｒｅｄ  ＵＳＢ  ｃｏｍｍａｎｄｓを通じて、前記コネクションコンテクストをモバイルデバイス１０と交換できる。結局、モバイルデバイス１０は前記コネクションコンテクストの中、前記ＣＨＩＤをチェックすることによって対応するホストサーバー、またはサービスポイントに連結され得る。
【００５３】
本発明の実施形態として前記入力ターミナル１００は有線、または無線で前記通信ネットワーク１５０と連結されたデスクトップコンピューター、またはノート型コンピューターが使用できる。
【００５４】
先加入の時に、前記モバイルデバイス１０が前記入力ターミナル１００に連結していない場合には、前記モバイルデバイス１０が前記サービスポイントにアクセスされた時に、または先加入手順が終了された時に、前記コネクションコンテクストは前記ホストサーバー２００で前記サービスポイントを通じて前記モバイルデバイス１０に提供され得る。図３の制御流れは前記モバイルデバイス１０が前記入力ターミナル１００に連結されていない場合に、行われる先加入手順及びサービス提供を示す。図３によるモバイルデバイスの加入処理方法は、モバイルデバイスの固有番号がオンラインを通じてサービスコンテンツ提供サーバーに伝送される場合に、前記モバイルデバイスに対する先加入手順を行う段階を有する。また、前記モバイルデバイスが前記サービスコンテンツ提供サーバーと連結されたサービスポイントに最初にアクセスする時、前記先加入手順が登録されたと認証されると、前記サービスポイントを通じてサービスコンテンツの提供が直ちに可能となるよう、コネクションコンテクストを前記モバイルデバイスに伝送する段階を有する。
【００５５】
一方、前記モバイルデバイス１０が前記入力ターミナル１００に連結されている場合には、前記コネクションコンテクストが前記ホストサーバー２００で前記モバイルデバイス１０に直ちに提供され得る。図４の制御流れは前記モバイルデバイス１０が前記入力ターミナル１００に連結されている場合に行われる先加入手順及びサービス提供を示す。図４によるモバイルデバイスの加入処理方法は、モバイルデバイス１０の固有番号がオンラインを通じてサービスコンテンツ提供サーバーに伝送される場合に、前記モバイルデバイス１０に対した先加入手順を行う段階と、前記モバイルデバイス１０が前記サービスコンテンツ提供サーバーと通信可能なように連結された場合に、サービスコンテンツの提供が前記サービスコンテンツ提供サーバーと連結された少なくとも１つ以上のサービスポイントで直ちになされるようにするためにコネクションコンテクストが前記オンラインを通じて前記モバイルデバイスに伝送される段階を有する。
【００５６】
図１のホストサーバー２００に連結された破線Ｌ３１は前記通信ネックワーク１５０を経由することがなくても、前記ホストサーバー２００がサービスポイント３００と連結され得ることを示すラインである。
【００５７】
図２は図１におけるホストサーバー、またはサービスポイントの装置ブロック例示図である。図面を参照すれば、装置ブロックはネットワークインターフェース２１０、処理制御部２２０、無線インターフェース２３０、メモリー２４０、及びコネクションコンテクスト（ＣＣ）認証部２５０とを含む。
【００５８】
前記装置ブロックがホストサーバー２００を構成する場合に、前記ネットワークインターフェース２１０はラインＬ２０を通じて、前記通信ネットワーク１５０と連結され、ネックワークインターフェースを担当する。
【００５９】
前記処理制御部２２０はサービスコンテンツ提供のための動作遂行はもちろん、本発明の実施形態による先加入手順を行う。
【００６０】
前記無線インターフェース２３０は前記ホストサーバー２００の内部では省略でき、前記サービスポイント内で装置ブロックの一部を構成する場合にモバイルデバイス１０と無線通信に関連したインターフェースを担当できる。
【００６１】
前記メモリー２４０は前記処理制御部２２０のプログラム及び各種処理データを保存する機能を行い、電源の供給が中断されてもデータを保存する不揮発生メモリーと電源供給の中断によってデータが消失される揮発性メモリーとを含むことができる。
【００６２】
前記ＣＣ認証部２５０は前記モバイルデバイス１０の登録の可否を確認するために、前記モバイルデバイス１０の連結要求メッセージに応答して前記モバイルデバイス１０のＣＤＩＤがメモリーテーブルに保存されているか否かをチェックする。前記ＣＤＩＤが保存されている場合に、前記ＣＣ認証部２５０は認証メッセージを送出し、これによって前記モバイルデバイス１０は連結要求受諾メッセージを受信する。
【００６３】
以下、図３を参照して、本発明の実施形態による先加入手順及びサービス提供の制御流れを説明する。
【００６４】
図３は前記モバイルデバイス９１０がサービスポイント３００からサービスコンテンツを得るのを試みる時、前記モバイルデバイス１０が前記入力ターミナル１００に連結していない場合の処理を示す。
【００６５】
図３の段階Ｓ３０ではモバイルデバイス１０のユーザが図１の入力ターミナル１００を通じてホストサーバー２００が提供するサービスサイトにオンライン接続をする。ここで、前記サービスサイトはウェブサイトになることができ、ウェブサイトの案内ディスプレー情報はサービスコンテンツ提供サーバーである前記ホストサーバー２００が前記通信ネックワーク１５０を通じて提供できる。ここで、ユーザが先加入を希望する場合に、先加入ＰＡ（ＰｒｅＡｓｓｏｃｉａｔｉｏｎ）モードに進入する案内情報が提供され得る。前記ユーザが前記入力ターミナル１００の入力部を通じてＰＡモードに進入すれば、段階Ｓ３１がパスされる。ＰＡモードで前記ホストサーバー２００は前記モバイルデバイス１０に関連した固有番号が入力されることを要請するウィンドウを前記入力ターミナル１００の画面に提供できる。ここで、前記固有番号はＦＳＫ（Ｆｉｘｅｄ  Ｓｙｍｍｅｔｒｉｃ  Ｋｅｙ）として、前記モバイルデバイスの製品の一連番号、前記モバイルデバイスのユーザのＰＩＮ（Ｐｅｒｓｏｎａｌ  Ｉｄｅｎｔｉｆｉｃａｔｉｏｎ  Ｎｕｍｂｅｒ）、前記モバイルデバイスの製造会社番号、Ｉ−ＰＩＮ、またはＧ−ＰＩＮを含むことができる。
【００６６】
段階Ｓ３２はユーザが固有番号を前記入力ターミナル１００の入力部を通じて印加することによってパスされる。前記段階Ｓ３２で前記固有番号が入力されれば、前記ホストサーバー２００は段階Ｓ３３で前記ＦＳＫに対応してＣＣを生成し、これをメモリーテーブルに登録する。前記段階Ｓ３０で段階Ｓ３３までの動作はインターネットなどのような通信ネットワークを通じてオンラインで行われ、先登録手順に対応する。
【００６７】
前記先登録手順の完了によって前記メモリーテーブルには図５に示すようにテーブルマップが生成される。図５は図１によるモバイルデバイス加入処理のためのメモリーテーブル構成の例示図として、保存領域５１にはＦＳＫ値が保存され、保存領域５２にはＣＣ値が保存される。保存領域５３には加入サイトが保存される。例えば、固有番号が０００−００−０１であるモバイルデバイス１０があり、そのユーザが特定加入サイトの音楽、ゲーム、スポーツのサービスコンテンツに登録された場合なら、前記ＣＣ値の中ＣＤＩＤは前記ホストサーバー２００によって、例えば“０Ｘ１１１”として割り当てられ、これはメモリーテーブルに保存される。この場合にＣＨＩＤは前記ホストサーバー２００のＩＤに該当する値、例えば“０Ｘ００１”として割り当てられる。前記ＣＣ値の中でＣＫは前記ＣＤＩＤと共に対をなして保存され得る。この場合に前記ＣＫは例えば“ＡＡＡＡ”として割り当てられた。前記先登録手順を行う時に、前記ＣＨＩＤの値の保存は省略できる。
【００６８】
一方、前記ＣＫの値は前記ホストサーバー２００、または前記サービスポイントの無線ＵＳＢホスト装置が前記モバイルデバイス１０とデータを送受信する時、データの暗号化のために使用するキー値である。結局、データ通信の保安のため使われる前記ＣＫの値は前記ホストサーバー２００、または前記サービスポイントによって固有に生成される。
【００６９】
図５で示すようにＦＳＫ値に対応してＣＣの中の少なくともＣＤＩＤが割り当てられ、ユーザが加入された加入サイトが登録されたテーブルが作られれば、前記先登録手順は一旦完了される。
【００７０】
前記モバイルデバイス１０が図１の矢印ＡＲに沿って移動し、任意のサービスポイント３０３に最初にアクセスする場合（段階Ｓ３４）、前記モバイルデバイス１０は半径数乃至数十メートルで前記サービスポイント３０３からブロードキャスティングされる所定のＭＭＣ（Ｍｉｃｒｏ−ｓｃｈｅｄｕｌｅｄ  Ｍａｎａｇｅｍｅｎｔ  Ｃｏｍｍａｎｄ）のようなメッセージを受けられる。前記ＭＭＣメッセージは前記サービスポイント３０３がモバイルデバイスとの無線チャンネルを管理するためにスーパーフレーム（Ｓｕｐｅｒｆｒａｍｅ）の前半部から周期的に送出するメッセージとして、それぞれのモバイルデバイスのためのチャンネル割当情報及びホスト関連情報を含む。ここで、前記ホスト関連情報は、各サービスポイントを区別するために前記コネクションホストＩＤ（ＣＨＩＤ）を含む。
【００７１】
ここで、前記段階Ｓ３４乃至段階Ｓ３９は前記サービスポイント３０３の支援下に前記ホストサーバー２００によって間接的に行い、または前記ホストサーバー２００から図５のようなメモリーテーブルのデータをダウンローディングした前記サービスポイント３０３によって直接的に行うことができる。
【００７２】
前記間接に行う場合に、前記モバイルデバイス１０がサービスコンテンツを受信するために所定の連結要求メッセージを伝送すれば、前記サービスポイント３０３は前記連結要求メッセージを受信し、その受信されたメッセージはラインＬ３０、通信ネットワーク１５０及びラインＬ２０を順次に経て前記ホストサーバー２００に印加される。ここで、前記連結要求メッセージには前記ＦＳＫ（Ｆｉｘｅｄ  Ｓｙｍｍｅｔｒｉｃ  Ｋｅｙ）が含まれ得る。
【００７３】
これによって、前記ホストサーバー２００は段階Ｓ３５で先加入認証を行う。前記先加入認証は前記ＦＳＫに対応したＣＤＩＤがメモリーテーブルに保存されているかをチェックすることによって達成される。したがって、０００−００−０１になされたＦＳＫに対応するＣＤＩＤが“０Ｘ１１１”として保存されているので、前記ホストサーバー２００は認証メッセージを前記サービスポイント３０３で印加する。
【００７４】
段階Ｓ３５で先加入認証が成功すると、段階Ｓ３７が行われる。前記段階Ｓ３７で、ＣＣ交換がなされ、必要な場合にサービス初期画面が前記モバイルデバイス１０にディスプレーされる。前記ＣＣ交換動作は、前記ＣＤＩＤ、ＣＨＩＤ及びＣＫが前記モバイルデバイス１０で提供され、前記ホストサーバー２００、または前記サービスポイント３０３がＣＣを保存する動作を含むことができる。ここで、保安の強化のために前記ＣＣ交換動作は特別に保安強化されたコードとして行うことができる。
【００７５】
一方、段階Ｓ３５で先加入認証が失敗すると、段階Ｓ３６で他の認証モードを行う。前記他の認証モードはユーザが特定暗号を直接的に入力するようになる通常の加入モードを含むことができる。
【００７６】
前記モバイルデバイス１０のユーザはオンラインを通じて先加入手順が完了したために、前記サービスポイント３０３に最初到着しても別途の加入手順のための入力動作を行うことがなく、自動にサービス初期画面を受ける。
【００７７】
したがって、例えば、音楽をダウンロードすることを希望する場合に、段階Ｓ３８がパスされ、段階Ｓ３９でユーザは必要なサービスコンテンツを受信することができる。このようにオンラインを通じた先加入を通じてフィールドでは自動にサービスコンテンツを受信することができる状態になり、モバイルデバイスの利用便宜性が増大する。
【００７８】
これから図４を参照し、前記モバイルデバイス１０が前記入力ターミナル１００に連結される場合に行われる制御の流れを説明する。
【００７９】
図４の段階Ｓ４０、段階Ｓ４１、段階Ｓ４２及び段階Ｓ４３とは図３の段階Ｓ３０、段階Ｓ３１、段階Ｓ３２及び段階Ｓ３３にそれぞれ対応するので、細部的な動作説明は省略する。
【００８０】
段階Ｓ４４はモバイルデバイス１０が前記入力ターミナル１００に無線、または有線に連結された場合にパスされる。結局、モバイルデバイス１０が前記入力ターミナル１００に連結された場合ならば、段階Ｓ４５でＣＣ交換が実行される。前記ＣＣ交換動作は、前記ＣＤＩＤ、ＣＨＩＤ及びＣＫが前記モバイルデバイス１０で提供され、前記ホストサーバー２００がＣＣを保存する動作を含むことができる。この場合にはオンラインを通じて先加入手順を締める同時にＣＣ交換までなされることを分かる。同じように、保安の強化のために前記ＣＣ交換動作は特別に保安強化されたコードとして行うことができる。
【００８１】
前記モバイルデバイス１０が図１の矢印ＡＲに沿って移動して任意のサービスポイント３０３に最初にアクセスする場合に（段階Ｓ４６）、前記段階Ｓ４５で既にＣＣ交換がなされたため、段階Ｓ４７の遂行によって、モバイルデバイス１０はサービスコンテンツの提供を受けることができる状態になる。前記モバイルデバイス１０が前記サービスポイント３０３にアクセスする時に、前記コネクションホストＩＤ（ＣＨＩＤ）だけ変更され、前記ＣＤＩＤ及びＣＫの値はそのまま維持できる。
【００８２】
結局、ユーザは前記サービスポイント３０３に最初に到着しても別途の加入手順のための入力動作を行うことがなく、自動的にサービス初期画面を受けられる。
【００８３】
したがって、望みのサービスを要請する場合に、段階Ｓ４８がパスされ、段階Ｓ４９でユーザが要請したサービスコンテンツを受信することができる。したがって、ユーザの何らの入力動作なくてもサービスコンテンツが提供され得る状態になるので、モバイルデバイスの利用便宜性が高まって面倒さが解消される。これに加えて、ケーブルを携行する必要がなく、または入力デバイス及びディスプレーデバイスを設置する必要がなく接続作業が達成できるので、ユーザの利便性がより高まる。
【００８４】
図６は本発明の他の実施形態によるサービスコンテンツ提供システムの全体ブロック図である。
【００８５】
図６を参照すれば、サービスコンテンツ提供システムは、無線通信ネットワーク１５２を通じて連結されたサービスポイント３００と、ホストサーバー２０２とを具備する。
【００８６】
モバイルデバイス１０は、前記ホストサーバー２０２のサービスコンテンツを前記サービスポイント３００の中で少なくとも１つのサービスポイント（例えば３０３）を通じて受信する。同じように、前記サービスポイント３００（３０１乃至３０７）は公共機関、停留場、ショッピングモール、スターバックスなどの商店なのような大衆の集い場所に設置される無線インターネットアクセス装置、例えばキオスクかでき、無線ＵＳＢホスト端末装置としての機能を有することができる。
【００８７】
前記モバイルデバイス（ＭＤ）１０の固有番号１２が前記無線通信ネットワーク１５２に連結した入力ターミナル１０２を通じて入力されれば、ホストサーバー２０２に固有番号１２が無線に印加される。この場合に前記固有番号１２は先加入要求メッセージに含めて印加できる。
【００８８】
前記ホストサーバー２０２は、前記モバイルデバイス１０が前記ホストサーバー２０２に対してオンラインである時、前記固有番号が受信されれば、前記モバイルデバイス１０に対した先加入手順を行う。以後、前記ホストサーバー２０２は、前記モバイルデバイス１０が前記サービスポイントの内１つ（例えば３０３）に最初にアクセスする時に前記先加入手順が完了し、前記モバイルデバイス１０が登録されたと認証されると前記サービスコンテンツの提供が直ちに可能とするために、コネクションコンテクストを前記モバイルデバイス１０で伝送する。
【００８９】
同じように、前記サービスポイント３０３と前記モバイルデバイス１０の間にはＷＰＡＮ方式の無線通信がなされ得る。
【００９０】
前記ホストサーバー２０２は図５のようなテーブルマップのデータを保存するために別途のデータベース２０４を具備できる。
【００９１】
図６は上述した先加入手順及びサービス提供が無線通信を利用して行えることをしめす。
【００９２】
図７は図１、または図６によるモバイルデバイスの固有番号伝送フォーマットを示す。例示的に、伝送フレームはＳＴＸ７１、ＳＣ７２、ＬＡＰ７３、ＵＡＰ７４、ＮＡＰ７５、ＥＣＣ７８、及びＥＴＸ７９とを含む。前記ＳＴＸ７１には開始を知らせるデータビットが割り当てられ、前記ＳＣ７２には伝送フレームの同期を知らせるデータビットが割り当てられる。前記ＬＡＰ７３、ＵＡＰ７４、及びＮＡＰ７５とを含むボディー領域７６にはＦＳＫ（Ｆｉｘｅｄ  Ｓｙｍｍｅｔｒｉｃ  Ｋｅｙ）のような前記固有番号が割り当てられる。前記ＬＡＰ７３には前記モバイルデバイスの製品一連番号がヘクサコードとして割り当てられ、前記ＵＡＰ７４及び前記ＮＡＰ７５には前記モバイルデバイスの製造会社番号がヘクサコードとして割り当てられる。前記ＥＣＣ７８はエラー訂正のためのコードであり、前記ＥＴＸ７９は伝送の終わりを知らせるコードである。
【００９３】
前記ＬＡＰはＬｏｗｅｒ  Ａｄｄｒｅｓｓ  Ｐａｒｔの略語であり、前記ＵＡＰはＵｐｐｅｒ  Ａｄｄｒｅｓｓ  Ｐａｒｔの略語であり、前記ＮＡＰはＮｏｎ−ｓｉｇｎｉｆｉｃａｎｔ  Ａｄｄｒｅｓｓ  Ｐａｒｔの略語として使われた。
【００９４】
このように、モバイルデバイスのユーザが固有番号を入力ターミナル１００、または１０２を通じて印加する場合に、図７のようなデータフォーマットに形成され得る情報がホストサーバー２００、または２０２で提供され得る。
【００９５】
上述した通り、オンラインを利用して先加入を行う本発明の実施形態によれば、最初接近したサービスポイントでもフィールド加入手順を別途に行う必要がない。また、サービスコンテンツを受信するために別途のケーブルや入力やディスプレーのための追加装置を用意する必要がない。したがって、モバイルデバイスの使用便利性が得られる。
【００９６】
本発明は多様な形態の方法、デバイス、またはシステムに具現することができる。また、本発明がコンピューターソフトウェアに具現される場合には、本発明の構成要素はプログラムや必要な動作の遂行に必要なコードセグメント（ｃｏｄｅ  ｓｅｇｍｅｎｔ）として対置できる。プログラムやコードセグメントはマイクロプロセッサによってアクセスできる記録媒体に保存されることができ、伝送媒体や通信ネットワークを通じてキャリア波形（ｃａｒｒｉｅｒ  ｗａｖｅｓ）と結合されたデータフォーマットとして伝送され得る。
【００９７】
前記記録媒体は電子回路、半導体メモリー素子、ＲＯＭ、フラッシュメモリー、ＥＥＰＲＯＭ、フロッピー（登録商標）ディスク、光学的ディスク、ハードディスク、光フィーバー、無線ネットワークのようなデータを伝送し、または保存することができる媒体を含むことができる。
【００９８】
尚、本発明は、上述の実施形態に限られるものではない。本発明の技術的範囲から逸脱しない範囲内で多様に変更実施することが可能である。
上記の説明では、本発明の実施形態を中心に図面によって例を挙げて説明したが、本発明の技術的思想の範囲内で本発明を多様に変形、または変更できることは本発明が属する分野の当業者には明白なものである。例えば、事案が異なる場合に本発明の技術的思想を逸脱せず、先加入手順をホストサーバーが行う代わりにサービスポイントに位置された端末装置が行うようにすることができる。
【符号の説明】
【００９９】
１０    モバイルデバイス  
１２    固有番号
１００，１０２    入力ターミナル
１５０    通信ネットワーク
２００，２０２    ホストサーバー
３００，３０３    サービスポイント
【図１】
2011217376.tif 000003
【図２】
2011217376.tif 000004
【図３】
2011217376.tif 000005
【図４】
2011217376.tif 000006
【図５】
2011217376.tif 000007
【図６】
2011217376.tif 000008
【図７】
2011217376.tif 000009